(57)【要約】      （修正有）【課題】使用者がゴルフバッグを実質的に起立した状態に近い姿勢で快適に運搬可能にするゴルフバッグ運搬用ハーネスアセンブリの提供。【解決手段】ゴルフクラブを挿入する開口を有するゴルフクラブバッグのハーネスアセンブリである。ハーネスアセンブリは、ゴルフクラブバッグに接続される上部トラックを有し、ゴルフクラブバッグは、上部トラックに摺動可能に取り付けられる第一及び第二のスライドアセンブリを有する。スライドアセンブリは、上部トラックの異なる位置で選択的に固定することができる。肩紐は、上部分岐端及び下端を有し、上部分岐端は、スライドアセンブリに接続され、下端はゴルフバッグの第一の取り付け位置に接続される。スライドアセンブリは、上部トラック内を選択的に移動して望ましい位置に固定され、人物がゴルフクラブバッグを運搬する際、第一の肩紐の装着を最適化する。【選択図】図１Ａ
2017124154.tif 000002
【特許請求の範囲】
【請求項１】
ゴルフクラブを挿入する開口を有するゴルフクラブバッグのためのハーネスアセンブリであって、
前記ハーネスアセンブリは、
前記ゴルフクラブバッグに接続される上部トラックと、
前記上部トラックに摺動可能に取り付けられる第一及び第二のスライドアセンブリであって、これらのスライドアセンブリが選択的に前記上部トラックの上の異なる位置に固定されるスライドアセンブリと、
第一及び第二の上部接続部を終点とする上端及び下端を有し、前記上部接続部は前記スライドアセンブリに接続され、前記下端は前記ゴルフバッグの第一の取り付け位置に接続される肩紐と、を備え、
前記スライドアセンブリは、前記上部トラック内で望ましい位置に選択的に移動し固定されて、人物が前記ゴルフクラブバッグを持ち運ぶときに前記肩紐の装着を最適化するハーネスアセンブリ。
【請求項２】
前記下端は、第一及び第二の下部接続部を終点とし、
一つの下部接続部は、前記第一の取り付け位置に接続され、
第二の下部接続部は、前記ゴルフバッグの第二の取り付け位置に接続される請求項１に記載のハーネスアセンブリ。
【請求項３】
前記ゴルフクラブバッグに取り付けられ、複数の第一の捕捉位置を規定する第一の下部トラックと、
前記第一の下部トラックに接続され、前記第一の下部トラックにおける前記複数の第一の捕捉位置の間を選択的に移動する第一の下部スライドアセンブリであって、該スライドアセンブリは、固定位置で固定されるとともに、前記第一の取り付け位置である第一の下部スライドアセンブリと、
前記ゴルフクラブバッグに取り付けられ、複数の第二の捕捉位置を規定する第二の下部トラックと、
前記第二の下部トラックに接続され、前記第二の下部トラックにおける前記複数の第二の捕捉位置の間を選択的に移動する第二の下部スライドアセンブリであって、該スライドアセンブリは、固定位置で固定されるとともに、前記第二の取り付け位置である第二の下部スライドアセンブリと、
をさらに含む請求項２に記載のハーネスアセンブリ。
【請求項４】
前記肩紐の前記上端は、上部紐を有し、
前記肩紐の前記下端は、下部紐を有し、
さらに前記上部紐が挿通する上部開口を規定する上環及び前記下部紐が挿通する下部開口を規定する下環をさらに有する請求項３に記載のハーネスアセンブリ。
【請求項５】
前記第一の位置は、下部トラックに摺動可能に取り付けられた第二スライドアセンブリである請求項１に記載のハーネスアセンブリ。
【請求項６】
前記ゴルフバッグは、前記人物が装着したときに、実質的に水平に延びる請求項１に記載のハーネスアセンブリ。
【請求項７】
前記上部トラックは前記開口に隣接し、前記開口を少なくとも部分的に取り巻く半円であり、前記第一のスライドアセンブリを選択的に固定する複数の離間した捕捉位置を規定する請求項１に記載のハーネスアセンブリ。
【請求項８】
ゴルフバッグアセンブリであって、
閉じた底端と開口した上端の間の軸に沿って延びる長い本体を有するバッグと、
前記開口した上端を取り巻く硬い上部の折り返しと、前記硬い上部の折り返しの少なくとも一部に接続される上部トラックであって、該上部トラックは複数の捕捉位置を有する上部トラックと、
前記複数の捕捉位置の間を選択的に移動するため、前記上部トラックに摺動可能に取り付けられる第一及び第二の上部取り付け環状部と、
前記軸に平行に延びるとともに、前記閉じた底端と前記開口した上端の間の前記バッグの中間に取り付けられる第一の下部トラックであって、複数の捕捉位置を有する第一の下部トラックと、
前記第一の下部トラックにおける前記複数の捕捉位置の間を選択的に移動できるように、前記第一の下部トラックに摺動可能に接続される第一の下部取り付け環状部と、
前記軸に平行に延びるとともに、前記閉じた底端と前記開口した上端の間の前記バッグの中間に取り付けられる第二の下部トラックであって、複数の捕捉位置を有し、前記第一の下部トラックから間隔を空ける第二の下部トラックと、
前記第二の下部トラックにおける前記複数の捕捉位置の間を選択的に移動できるように、前記第二の下部トラックに摺動可能に接続される第二の下部取り付け環状部と、
上部分岐端及び下部分岐端を有する肩紐であって、前記上部分岐端は、前記第一及び第二の上部取り付け環状部に接続され、前記下部分岐端は、前記第一及び第二の下部取り付け環状部に接続される肩紐と、を備え、
前記環状部は、各トラック内を選択的に移動し、人物のための前記肩紐の装着を調整するゴルフバッグアセンブリ。
【請求項９】
前記硬い上部の折り返し及び前記上部トラックは、一体に形成され、前記環状部は同一である請求項８に記載のゴルフバッグアセンブリ。
【請求項１０】
前記肩紐は、調節可能な長さを有するとともに、前記上部及び下部の分岐端の間に延びる膨らんだ部分を有する請求項８に記載のゴルフバッグアセンブリ。
【請求項１１】
ゴルフクラブバッグのためのハーネスアセンブリであって、
前記ゴルフクラブバッグの上に取り付けるとともに、複数の捕捉位置を規定する第一の上部接続配置と、
前記ゴルフクラブバッグの上に取り付けるとともに、複数の捕捉位置を規定する第一の下部接続配置と、
前記ハーネスアセンブリの装着を最適化するために前記接続配置の前記複数の捕捉位置の間を選択的に移動するように、前記第一の上部接続配置に接続される第一端部及び前記第一の下部接続配置に接続される第二端部を有する肩紐と、
を有するハーネスアセンブリ。
【請求項１２】
前記第一の上部接続配置は、前記ゴルフバッグの開口に隣接するとともに部分的に囲むように取り付けられる上部トラックと、
前記複数の捕捉位置の間を選択的に移動するように前記上部トラックにおいて摺動可能に接続される第一の上部取り付け環状部と、
を有する請求項１１に記載のハーネスアセンブリ。
【請求項１３】
前記肩紐は、
上部のＤ形状の環を終端とする上端及び下部のＤ形状の環を終端とする下端を有する中央の膨らんだ部分と、
前記上部のＤ形状の環を通る上部紐であって、該上部紐のそれぞれの端部は、上部トラックのスライドアセンブリに接続される上部紐と、
前記下部のＤ形状の環を通る下部紐であって、該下部紐の第一の端部は第一の下部トラックにおける第一の下部スライドアセンブリに接続され、前記下部紐の第二の端部は、第二の下部トラックの第二の下部スライドアセンブリに接続される下部紐と、
を有する請求項１１に記載のハーネスアセンブリ。
【発明の詳細な説明】
【技術分野】
【０００１】
本出願は、一部継続出願であり、２０１５年１１月２日に出願された係属中の米国出願番号第１４／９３０，０００号への優先権を主張する。その内容はここに参照として組み込まれる。
【背景技術】
【０００２】
本開示は、ゴルフバッグに関し、より具体的には、ゴルフバッグの改良された運搬システムに関する。
【０００３】
ゴルフは素晴らしいゲームであり、世界中で楽しまれている。しかしながら、多くのゴルファーにとって、美しいコースに沿う素晴らしい散歩は、運びにくいゴルフバッグを運ぶという労働のために台無しになってしまう。ゴルファーとゴルフバッグがよく合っていないと、気が散ったり、楽しみが減ったり、プレーに影響する筋肉の疲労に繋がったりする。言い換えれば、ゴルフバッグは、楽しみだけでなく、成績にも影響を与える装備なのである。
【０００４】
ゴルフバッグの運搬を簡単にするように取り組むため、多くの発明がなされてきた。例えば、１９９１年８月１３日に登録された米国特許番号５，０３８，９８４に示されるように、ストラップで運搬するシステムはありふれたものになっている。他の例として、バッグが濡れた地面に置かれなくてよいようにベーススタンドを組み込んだものがあるが、その結果地面からバッグを持ち上げるのに疲労する（米国特許番号８，８３３，６２２、２０１４年９月１６日登録、参照）。さらに、多くのゴルフバッグは、二本のストラップシステムを含む。米国特許番号７，１３１，５３４、２００６年１１月７日登録、米国特許公開公報、公開番号２００３／０１２１９４２、公開日２００３年７月３日、及び米国特許番号６，４６０，７４７、２００２年１０月８日登録、に例が示されている。
【発明の概要】
【発明が解決しようとする課題】
【０００５】
上述した努力にもかかわらず、多くのバッグはゴルフを楽しむ様々な種類の個人に適合せず、適切に合っていない。使用者のサイズや形状に対してバッグの運搬システムが合っていないと、肩の上のゴルフバッグに体重が変に分配されてしまう。さらに、典型的な装着では、ストラップが快適でない位置へ単に偏ってスライド移動してしまう。このように、使用者がゴルフバッグを快適に運搬できるようにする装着システムを有するゴルフバッグの必要性が存在する。さらに、ほとんどのバッグは、使用者がやや横（水平）方向気味にして運搬している。上部の開口は、ゴルフクラブが落ちないように少し持ち上げられている。この配置では、戸口や回転ドア等の障害を取り扱ったり、バッグの中にクラブを保持させたりすることが難しくなる。したがって、使用者がゴルフバッグを実質的に起立方向で快適に運搬できるような装着システムを有するゴルフバッグの必要性が存在する。
【課題を解決するための手段】
【０００６】
一つの実施形態では、技術の課題は、ゴルフクラブを挿入する開口を有するゴルフクラブバッグのためのハーネスアセンブリに向けられる。ハーネスアセンブリは、ゴルフクラブバッグに接続される上部トラックを含み、ゴルフバッグは、この上部トラックに摺動可能に取り付けられる第一及び第二のスライドアセンブリを有している。スライドアセンブリは、上部トラックの異なる位置に選択的に固定されることができる。肩紐は、上部分岐端と下端部とを有し、上部分岐端はスライドアセンブリに接続され、下端部はゴルフバッグの第一の取り付け位置に接続される。スライドアセンブリは、人物がゴルフクラブバッグを運搬する際第一の肩紐の装着を最適化するために、上部トラック内で選択的に動き、希望する位置で固定することができる。好ましくは、下端部は、分岐してゴルフバッグの第一の取り付け位置及び第二の取り付け位置に接続される。
【０００７】
ハーネスアセンブリは、ゴルフクラブバッグの上に取り付けられ、複数の第一の捕捉位置を規定する第一の下部トラックも含んでよい。第一の下部トラックの複数の第一の捕捉位置の間で選択的な動きをするように、第一の下部スライドアセンブリが第一の下部トラックに接続され、スライドアセンブリは、固定位置で固定される。第一の下部スライドアセンブリは、第一の取り付け位置である。ハーネスアセンブリは、ゴルフクラブバッグの上に取り付けられ、複数の第二の捕捉位置を規定する第二の下部スライドアセンブリを含んでよい。第二の下部トラックの複数の第二の捕捉位置の間で選択的な動きをするように、第二の下部スライドアセンブリが第二の下部トラックに接続され、スライドアセンブリは、固定位置で固定される。第二の下部スライドアセンブリは、第二の取り付け位置である。第一の位置は、下部トラックに摺動して取り付けられる第二のスライドアセンブリであってよい。典型的には、人物が装着したとき、ゴルフバッグは実質的に横に延びる。
【０００８】
課題の技術の他の実施形態は、ゴルフバッグアセンブリに関連する。ゴルフバッグアセンブリは、閉じた底端と開いた上端との間の軸に沿って延びる細長い本体を有するバッグと、開いた上端を囲む硬い上部の折り返しと、硬い上部の折り返しの少なくとも一部に接続された上部トラックであって、複数の捕捉位置を有する上部トラックと、複数の捕捉位置の間を選択的に移動するように、上部トラックに摺動するように接続される第一及び第二の上部取り付け環状部と、軸に平行に延び、閉じた底端と開いた上端のバッグの中間に取り付けられる第一の下部トラックであって、複数の捕捉位置を有する第一の下部トラックと、第一の下部トラックの複数の捕捉位置の間を選択的に移動するように、第一の下部トラックに摺動するように接続される第一の下部取り付け環状部と、軸に平行に延び、閉じた底端と開いた上端のバッグの中間に取り付けられる第二の下部トラックであって、複数の捕捉位置を有し、第一の下部トラックと離間する第二の下部トラックと、第二の下部トラックの複数の捕捉位置の間を選択的に移動するように、第二の下部トラックに摺動するように接続される第二の下部取り付け環状部と、上部分岐端及び下部分岐端を有する肩紐であって、上部分岐端は第一及び第二の上部取り付け環状部に接続され、下部分岐端は第一及び第二の下部取り付け環状部に接続される肩紐と、を有し、環状部は人物に肩紐が適合するようにそれぞれのトラック内を選択的に移動する。硬い上部の折り返し及び上部トラックは、一体に形成されていてもよい。
【０００９】
課題の技術のさらに他の実施形態は、ゴルフバッグのためのハーネスアセンブリであって、ゴルフクラブバッグの上に取り付けて、複数の捕捉位置を規定するための第一の上部接続配置と、同様にゴルフクラブバッグの上に取り付けて、複数の捕捉位置を規定するための第一の下部接続配置とを含む。肩紐は、ハーネスアセンブリの装着を最適化するため、接続配置の複数の捕捉位置の間を選択的に移動するように、第一の上部接続配置に接続される第一端部と、第一の下部接続配置に接続される第二端部と、を有する。第一の上部接続配置は、ゴルフバッグの開口部の周囲に隣接して取り付けられるか、部分的に囲む上部トラックと、複数の捕捉位置の間で選択的に移動することができるように上部トラックに摺動して接続される第一の上部取り付け環状部と、を含んでよい。
【００１０】
ある実施形態では、課題の技術は、ゴルフクラブのハーネスアセンブリに向けられる。ハーネスアセンブリは、ゴルフクラブバッグに接続され、少なくとも部分的に開口を囲む上部トラックと、この上部トラックに摺動可能に取り付けられた少なくとも一つの接続アセンブリであって、該少なくとも一つの接続アセンブリは、上部トラックの異なる位置に選択的に固定されることができる少なくとも一つの接続アセンブリと、を含む。第一の肩紐は少なくとも一つの接続アセンブリとゴルフバッグの上の第一の位置を接続し、少なくとも一つのスライドアセンブリは、選択的に上部トラック内を移動して、人物がゴルフバッグを持ち運ぶときに第一の肩紐の装着を最適化する。ハーネスアセンブリは、さらにゴルフバッグの第二の位置と第三の位置間を接続する第二の肩紐をさらに含んでよく、少なくとも第一及び第二の肩紐の内の一方は、調節可能な長さを有する。
【００１１】
またさらに、ハーネスアセンブリは、ゴルフクラブバッグに取り付けられ、複数の第一の捕捉位置を規定する第一の下部トラックと、第一の下部トラックにおける複数の第一の捕捉位置の間を選択的に移動する第一の下部トラックに接続される第一の下部スライドアセンブリであって、第二の位置である第一の下部スライドアセンブリと、ゴルフクラブバッグに取り付けられ、複数の第二の捕捉位置を規定する第二の下部トラックと、第二の下部トラックにおける複数の第二の捕捉位置の間を選択的に移動する第二の下部トラックに接続される第二の下部スライドアセンブリであって、第三の位置である第二の下部スライドアセンブリと、をさらに含む。支持ハブが少なくとも一つの接続アセンブリ及び第一の位置の間の第一の肩紐に接続され、また、第二の位置及び第三の位置の間の第二の肩紐に接続されてもよく、支持ハブは、人物の背中の上方の中心に配置されるような寸法である。
【００１２】
課題の技術の他の実施形態は、閉じた底端と開口した上端との間の軸に沿って延びる細長い本体を有するバッグと、開口した上端を囲む硬い上部の折り返しと、硬い上部の折り返しの少なくとも一部に接続される上部トラックであって、複数の捕捉位置を有する上部トラックと、複数の捕捉位置の間を選択的に移動するために上部トラックに摺動可能に接続される第一及び第二の上部取り付け環状部と、を有する。第一の下部トラックは、軸に平行に延び、バッグの閉じた底端と開口した上端の中間に取り付けられる。第一の下部トラックは、第一の下部トラックに摺動可能に接続される第一の下部取り付け環状部を有する複数の捕捉位置を有し、第一の下部トラックにおける複数の捕捉位置の間を選択的に移動する。第二の下部トラックは、軸に平行に延び、バッグの閉じた底端と開口した上端の間に取り付けられる。第二の下部トラックは、複数の捕捉位置を有し、第一の下部トラックから間隔を空けている。第二の下部取り付け環状部は、摺動可能に第二の下部トラックに接続され、第二の下部トラックにおける複数の捕捉位置の間を選択的に移動する。ハーネスは、第二の上部取り付け環状部及び第二の下部取り付け環状部に接続される支持ハブと、第一の上部取り付け環状部に接続される第一端部及び支持ハブに接続される第二端部を有する第一の肩紐と、第一の下部取り付け環状部に接続される第一端部及び支持ハブに接続される第二端部を有する第二の肩紐と、を有し、環状部は、選択的に各トラック内を移動して、人物の上でハーネスアセンブリの装着を最適化する。
【００１３】
さらに他の実施形態は、ハーネスアセンブリに関する。ハーネスアセンブリは、ゴルフクラブバッグに取り付けられ、複数の捕捉位置を規定する第一の下部接続配置と、第一の下部接続配置に接続される第一端部であって、第一の下部接続配置における複数の捕捉位置に選択的に接続し装着を最適化する第一端部、及びゴルフバッグに接続される第二端部を有する第一の肩紐と、を有する。第一の下部接続配置は、第一の下部トラックであってよい。ハーネスアセンブリは、第一下部トラックにおける複数の捕捉位置の間を選択的に移動する第一の下部トラックに摺動可能に接続される第一の下部取り付け環状部を含んでよい。第一肩紐の第一端部は、第一の下部取り付け環状部に接続され、第一の下部取り付け環状部は、第一の下部トラック内の複数の捕捉位置の一つへ選択的に移動し、ハーネスアセンブリの装着を最適化する。
【００１４】
さらに他の実施形態では、本開示は、ゴルフクラブバッグのハーネスアセンブリに関する。ゴルフクラブバッグのハーネスアセンブリは、ゴルフクラブに接続され、ゴルフクラブの開口を少なくとも部分的に囲む上部トラックを有する。第一及び第二のスライドアセンブリは、上部トラックで接続し、第一及び第二のスライドアセンブリは、上部トラックの異なる位置で選択的に固定されることができる。第一の肩紐は、第一のスライドアセンブリに接続される第一端部と、ゴルフバッグの第一の位置に接続される第二端部と、を有する。第二の肩紐は、第二のスライドアセンブリに接続される第一端部と、ゴルフバッグの第二の位置に接続される第二端部と、を有する。ゴルフバッグが使用者に装着される際、第一及び第二のスライドアセンブリは、上部トラック内を選択的に移動して、第一及び第二の肩紐の装着を最適化する。人物がゴルフバッグを持ち運ぶとき、ゴルフバッグは実質的に縦方向に延びる。すなわち、持ち運ばれる際、ゴルフバッグは実質的に起立する（例えば、ゴルフバッグの長さは人物の背中に沿い、概ねその首から背中の下部又はお尻まで延びる）。その結果、ゴルフバッグの荷重は均一に配分され、着用者が一方側から他方側に傾いたとしても、ゴルフクラブは落下しにくい。さらに、着用者は、出入口や、駐車場、控室、車庫、エレベーター等の他の狭い領域のような典型的な障害物を通り抜けて歩くことが容易になる。
【００１５】
好ましくは、上部トラックは、第一及び第二のスライドアセンブリを選択的に固定するための複数の捕捉位置を規定する。ハーネスアセンブリは、ゴルフクラブバッグに取り付けられ、複数の第一の捕捉位置を規定する第一の下部トラックであって、それぞれの第一の捕捉位置が第一の位置の役割を果たす第一の下部トラックと、第一の下部トラックに接続される第一の下部スライドアセンブリであって、第一の下部トラックにおける複数の第一の捕捉位置の間で選択的に移動する第一の下部スライドアセンブリと、を有してよい。またさらに、ハーネスアセンブリは、ゴルフバッグに取り付けられ、複数の第二の捕捉位置を規定する第二の下部トラックであって、それぞれの第二の捕捉位置が第二の位置の役割を果たす第二の下部トラックと、第二の下部トラックに接続される第二の下部スライドアセンブリであって、第二の下部トラックにおける複数の第二の捕捉位置の間で選択的に移動する第二の下部スライドアセンブリと、を有してよい。支持ハブは、肩紐と第一及び第二の位置の間に接続され、ハーネスアセンブリの装着をさらに改善する。
【００１６】
課題の技術の他の実施形態は、ゴルフバッグアセンブリに関する。ゴルフバッグアセンブリは、閉じた底端と開口した上端の間の軸に沿って延びる細長い本体を有するバッグを含む。硬い上部の折り返しは、開口した上端を囲み、上部トラックが硬い上部の折り返しの少なくとも一部に接続される。上部トラックは複数の捕捉位置を有する。第一及び第二の上部取り付け環状部は、複数の捕捉位置の間を選択的に移動するように、摺動可能に上部トラックに接続される。第一の下部トラックは、軸に平行に延び、バッグの閉じた底端と開口した上端の間に取り付けられる。第一の下部トラックは、複数の捕捉位置を有する。第一の下部取り付け環状部は、第一の下部トラックにおける複数の捕捉位置の間に選択的に移動するように、摺動可能に第一の下部トラックに接続される。第二の下部トラックは、軸に平行に延び、バッグの閉じた底端と開口した上端の間に取り付けられる。第二の下部トラックは、複数の捕捉位置を有し、第一の下部トラックから間隔を空けている。第二の下部取り付け環状部は、第二の下部トラックにおける複数の捕捉位置の間に選択的に移動するように、摺動可能に第二の下部トラックに接続される。ハーネスは、第一及び第二の下部取り付け環状部にそれぞれ接続される下部接続部を有する支持ハブと、支持ハブに摺動可能に接続される第一端部及び第一の上部取り付け環状部に接続される第二端部を有する第一肩紐と、支持ハブに摺動可能に接続される第一端部及び第二の上部取り付け環状部に接続される第二端部を有する第二肩紐と、を有する。環状部は、各トラックを選択的に移動して、人物の上でハーネスアセンブリの装着を最適化する。硬い上部の折り返し及び上部トラックは、一体に形成されてもよい。環状部は、同一であり、第一及び第二の肩紐は調節可能な長さを有することが理解される。
【００１７】
課題の技術のさらに他の実施形態は、ゴルフクラブバッグのハーネスアセンブリに関する。ハーネスアセンブリは、ゴルフクラブバッグに取り付けられ、複数の捕捉位置を規定する第一の接続配置と、第一の接続配置に接続され、第一の上部接続配置における複数の捕捉位置を選択的に接続して装着を最適化する第一端部及びゴルフバッグに接続される第二端部を有する第一の肩紐を備える。
【００１８】
課題の技術は、方法、装置、システム、機器、現在知られている適用方法で後に発展される方法、又はコンピュータで読み取れるメディア、を限定することなく含む多数の方法で、実施及び利用されることが理解される。ここで開示されるこれらのそして他の独特なシステムの特徴が、以下の明細書及び添付の図面からより容易で明らかになるであろう。
【００１９】
開示されたシステムが属する分野の当業者がより容易に同システムを製造し、使用する方法を理解することができるように、以下の図面が参照されてよい。
【図面の簡単な説明】
【００２０】
【図１Ａ】本開示に沿ったゴルフバッグを運搬する人物の正面斜視図である。
【図１Ｂ】本開示に沿ったゴルフバッグを運搬する人物の背面斜視図である。
【図２】本開示に沿ったハーネスアセンブリが接続されたゴルフバッグの斜視図である。
【図３】課題の技術に沿ったハーネスアセンブリが取り外されたゴルフバッグの正面図である。
【図４】課題の技術に沿ってトラックアセンブリに位置するスライドアセンブリを示す拡大された詳細部分を含むゴルフバッグの正面図である。
【図５Ａ】図５Ａは、本開示に沿ったスライドアセンブリの展開図である。
【図５Ｂ】課題の技術に沿ってロックされた位置に組み立てられたスライドアセンブリの側面図である。
【図５Ｃ】課題の技術に沿ってロックが解除された位置の組み立てられたスライドアセンブリの側面図である。
【図６Ａ】本開示に沿ったロックされた位置のスライドアセンブリを伴うトラックアセンブリの断面図である。
【図６Ｂ】本開示に沿ったロックが解除された位置のスライドアセンブリを伴うトラックアセンブリの断面図である。
【図７Ａ】課題の技術に沿って第一の位置にあるハーネスアセンブリを有するゴルフバッグの正面図である。
【図７Ｂ】課題の技術に沿って第２の位置にあるハーネスアセンブリを有するゴルフバッグの正面図である。
【図８】本開示に沿って、人物により縦方向にして運搬される他のゴルフバッグの斜視図である。
【図９】本開示に沿って、ハーネスアセンブリが接続され、縦方向に運搬された図８のゴルフバッグの斜視図である。
【図１０Ａ】課題の技術に沿って第一の位置にハーネスアセンブリを有する、縦方向に運搬されたゴルフバッグの正面図である。
【図１０Ｂ】課題の技術に沿って第二の位置にハーネスアセンブリを有する、縦方向に運搬されたゴルフバッグの正面図である。
【図１１】さらに他の本開示に沿った人物上のゴルフバッグの斜視図である。
【図１２】本開示に沿って接続されたハーネスアセンブリを有する図１１のゴルフバッグの斜視図である。
【図１３】本開示に沿ってさらに他のゴルフバッグを運搬する人物の斜視図である。
【図１４】本開示に沿った図１３のハーネスアセンブリを有するゴルフバッグの斜視図である。
【図１５】本開示に沿ってさらに他のゴルフバッグを運搬する人物の斜視図である。
【図１６】本開示に沿った図１５のハーネスアセンブリを有するゴルフバッグの斜視図である。
【発明を実施するための形態】
【００２１】
課題の技術は、使用者によって運搬されることとされているゴルフバッグに関連した先行技術の多くの問題を解決する。ここに開示される技術の効果及び他の特徴は、以下に詳細が述べられるいくつかの好ましい実施形態において、当業者により明らかになるだろう。実施形態は、本発明の代表的な実施形態を説明する図面と合わせられ、類似の参照符号は、類似した構造的要素を特定する。上に、下に、上、底、水平に、垂直に、左に右に等の全ての言及は、明確さのために図面に関連し、制限する意味では理解されない。
【００２２】
簡潔に概観すると、課題の技術は、ゴルフバッグを運搬する人物にダイナミックに適合することができるハーネスアセンブリを備えるゴルフバッグである。ハーネスアセンブリは、快適さを改善して重量を分配する調整部を有する。調整部は早く、簡単で、確実である。
【００２３】
ここで図１Ａ及び図１Ｂを参照すると、課題の技術に沿ってゴルフバッグ１００を運搬する人物の正面及び背面斜視図が示されている。ゴルフバッグ１００は、二つの肩紐１０４ａ、１０４ｂを含むハーネスアセンブリ１０２を有する。肩紐１０４ａ、１０４ｂはゴルフバッグ１００の重さの大部分を人物の肩に移動させる。したがって、肩紐１０４ａ、１０４ｂを人物にきちんと位置づけ（すなわち、装着し）、人物工学的にゴルフバッグ１００に接続することは重要である。
【００２４】
図２を参照すると、バッグ１００に接続されたハーネスアセンブリ１０２を有するゴルフバッグ１００の正面図が示される。ゴルフバッグ１００は、上部横トラックアセンブリ１３０及び２つの下部縦トラックアセンブリ１６０、１６２を含む。トラックアセンブリ１６０、１６２は、トラックアセンブリ１３０と同じであるか、又は小さな差異しかないと想定されるべきである。トラックアセンブリ１３０、１６０、１６２は、ゴルフバッグ１００の形状に追従するのに必要なように形成される。ゴルフバッグ１００の上部では、トラックアセンブリ１３０はＣ型であり、一方、下部トラックアセンブリ１６０、１６２は直線状である。ある実施形態では、トラックアセンブリ１３０、１６０、１６２はゴルフバッグ１００に合うようにするため、ゴルフバッグ１００に縫い付けられるか及び／又は接着される柔軟なプラスチックである。他の実施形態では、トラックアセンブリ１３０、１６０、１６２は金属である。トラックアセンブリ１３０、１６０、１６２はゴルフバッグ１００にリベット、ボルト又は他の適切な止着材によって止着されてよい。
【００２５】
それぞれのトラックアセンブリ１３０、１６０、１６２は、溝１３６（図６Ａ、６Ｂに最もよく表される）を形成するトラック１３２を含む。一以上のスライドアセンブリ１３４ａ〜ｄ（図４に最もよく表される）がトラック１３２に捕捉され、選択的に動いて、調節のためにその長さに沿って固定される。ある実施形態では、トラック１３２はスライドアセンブリ１３４ａ〜ｄの捕捉位置を作り出す複数の拡大された開口１３８を規定する。好ましい実施形態では、拡大された開口１３８は、２インチ（５．０８ｃｍ）ごとに間を空ける。使用時には、スライドアセンブリ１３４ａ〜ｄは、以下により詳細に述べられるように、拡大された開口１３８の一つに固定される。スライドアセンブリ１３４ａ〜ｄは、肩紐１０４ａ、１０４ｂに接続するためのＤ型環１４０（図５Ａ参照）を含む。
【００２６】
さらに図２を参照して、肩紐１０４ａ、１０４ｂは典型的には３つの部分又は区分を含む。一般的には、それぞれの肩紐１０４ａ、１０４ｂは、中央部を膨らませた部分１０５ａ、１０５ｂを含み、典型的には、厚い、クッション材で作られる。これらの膨らませた部分１０５ａ、１０５ｂは、ゴルファーの肩の上に心地よく載り、バッグ１００が支持されて容易に運搬される。肩紐１０４ａ、１０４ｂは、上部接続紐部分１０６ａ、１０６ｂを含み、それらは典型的には薄い織った素材で作られ、最小限で、又は詰め物はない。
【００２７】
肩紐１０４ａの上部接続紐部分１０６ａは、横トラックアセンブリ１３０におけるスライドアセンブリ１３４ａに接続される。例えば、上部接続紐部分１０６ａは、Ｄ型環１４０に固定される。特に、上部接続紐部分１０６ａの端部は、Ｄ型環１４０に通されて輪を形成し、背面に縫い付けられる。トラックアセンブリ１３０は、上部接続紐部分１０６ａを、以下により詳細に説明するように横方向に調節してスライドさせることもできる。
【００２８】
肩紐１０４ａ、１０４ｂは、さらに以下に説明されるように、縦方向のスライドメカニズムによって長さを調節されることができる。代替的に、上部接続紐部分１０６ａの自由端がＤ型環１４０に挿入されて輪を形成し、それからバックル、３−滑り−クリップ（Ｔｒｉ−Ｇｌｉｄｅ−Ｃｌｉｐ）、スライド片又は肩紐１０６ａの長さを調節することのできる他の部材を通る。
【００２９】
肩紐１０４ａ、１０４ｂは下部接続紐１０９ａ、１０９ｂも含む。下部接続紐１０９ａ、１０９ｂは、膨らんだ円形の支持ハブ１１２に縫合、接着又は他の適切な手段により接続されている。例えば、支持ハブ１１２は、二つの旋回するＤ環１１３ａ、１１３ｂ又は他の適切な形状のリング（例えば円形、楕円形、四角形等）を含み、支持ハブ１１２に回転可能に取り付けられる。Ｄ形状の環１１３ａ、１１３ｂが回転することで、ゴルファーが肩紐１０４ａ、１０４ｂを肩に簡単かつ迅速に滑らせることができるようになっている。支持ハブ１１２は、紐、バックル、３−滑り−クリップ、スライド片、又は２つの回転するＤ環１１３ａ、１１３ｂを伴う他の部材を含んでよく、紐が長手方向に調整される。
【００３０】
支持ハブ１１２は、スライドアセンブリ１３４ｂ、１３４ｄにそれぞれ固定されている下部接続調整部１１４ａ、１１４ｂを有する。下部接続調整部１１４ａ、１１４ｂは、短い長さの織布部材、又は望むときに調整可能な紐を含む。支持ハブの織布部材は、ゴルファーの肩には載らず、この部分は通常膨らんだ部分は有さない。接続調整部１１４ａ、１１４ｂは留め金具、バックル、Ｕ字型金具、フック・アンド・ループ布、パチンとする留め金、紐及び選択的な調整及び頑丈な接続を可能にするための類似の装置１１５ａ、１１５ｂを含んでよい。織布部材は、縫合、接着又は他の適切な手段により支持ハブ１１２に取り付けられる。接続調整部１１４ａ、１１４ｂは、バックル、３−滑り−クリップ、スライド片又は他の部材等の調整手段１１５ａ、１１５ｂを含み、紐が長手方向に調整される。
【００３１】
肩紐１０４ｂに戻って、上部接続紐部分１０６ｂは、縦トラックアセンブリ１６０のスライドアセンブリ１３４ｃに接続する下部接続調整部１２６を有する。すなわち、肩紐１０４ｂは、支持ハブ１１２に接続する下端部１０９ｂ、及びスライドアセンブリ１３４ｃに接続する上端部１０６ｂを有する。肩紐１０４ｂは、紐１０４ｂの自由端をＤ型環１４０に通して輪を形成し、自由端をその裏に縫い付けることで接続されてよい。代替的に、自由端は、Ｄ型環に挿入されて輪を形成し、それからバックル、３−滑り−クリップ、スライド片又は紐を長手方向に調整することができる他の部材を通されてもよい。さらに他の場合では、紐の長さは縦のスライダーによって長手方向に調整されてよい。
【００３２】
肩紐１０４ａ、１０４ｂ及び接続調整部１１４ａ、１１４ｂだけが調整されるのではなく、ゴルフバッグ１００の取り付け位置が調整されることが見てわかる。選択的に取り付け位置を調整することで、ハーネスアセンブリ１０２はゴルファーによく適合する。ハーネスアセンブリ１０２がゴルフバッグ１００に取り付けられる位置を調整することができるため、重さの分散及び装着が、異なる形や寸法の使用者に対して最適化されるということが、課題の技術を検討すると理解されるであろう。
【００３３】
例えば、図７Ａは、外胚葉型の（痩せ型）の体型に最適化されたハーネスアセンブリ１０２を有するゴルフバッグの正面図である。痩せ型の体型は、ぜい肉のない体の質量に小さな肩及び胸、そして相対的に高い身長により特徴づけられる。このようにして、肩紐１１４ａ、１１４ｂの間の距離は狭めることができ、肩紐１０４ａ、１０４ｂが適合できるような長さになる。スライドアセンブリ１３４ｃは、トラックアセンブリ１６０を上方に移動する。
【００３４】
他の例では、図７Ｂを参照する。図７Ｂは、ゴルフバッグの正面図である。ゴルフバッグは、中胚葉型体格のための第一の位置にあるハーネスアセンブリ１０２を有する。中胚葉型体格は、筋肉質の壮健な体格で広い肩及び胸、相対的に平均的な身長により特徴づけられる。中胚葉型体型に最適化して適合するために、トラックアセンブリ１６０内のスライドアセンブリ１３４ｃを下方に移動させることで、上部接続紐部分１０６ａ、１０６ｂの間の距離を大きくすることができる。肩紐１０４ａ、１０４ｂは中間的な長さであり、トラックアセンブリ１６２の下部スライドアセンブリ１３４ｄは、上方の位置に設定することができる。横トラック１３０の上部スライドアセンブリ１３４ａ、１３４ｂもまた、広い肩に適合するように調整することができる。さらに他の例では、丸い体の質量で平均的な肩及び胸、及び低い身長で特徴づけられる内胚葉型体型（肥満型体型）のためには、ハーネスアセンブリ１０２は、中間的な取り付け位置にあり、紐の長さも中間であってよい。
【００３５】
ここで図４を参照し、トラックアセンブリ１３０、１６０、１６２及びスライドアセンブリ１３４ａ〜ｄに関する記述が続く。トラックアセンブリ１６０、１６２は、トラックアセンブリ１３０と同じか、又は小さな違いしかなく、それぞれのトラックアセンブリ１３０、１６０、１６２に関する特定の議論は必要でない。例えば、トラックアセンブリ１３０は、スライドアセンブリ１３４（図６Ａ参照）を受け入れるためのトラック１３２を包含する外部ケース１３１を含む。図４は、トラックアセンブリ１３０、１６２に取り付けられたスライドアセンブリ１３４ａ〜ｄの詳細な図を含む。上部トラックアセンブリ１３０により、スライドアセンブリ１３４のそれぞれは矢印“Ａ”に沿って移動する。下部トラックアセンブリ１６０、１６２により、スライドアセンブリ１３４のそれぞれは矢印“Ｂ”に沿って移動する。トラック１３０、１６０、１６２は、示されたものと異なる位置にあってもよいことが理解される。例えば、トラック１６２はトラック１６０に対して角度がついていてもよく、その反対でもよい。さらに、ゴルフバッグ１００の開口からそれぞれの開口１３８への距離が変化するように、トラック１３０に角度をつけられていてもよい。
【００３６】
ここで図５Ａを参照すると、スライドアセンブリ１３４の展開図が示される。スライドアセンブリ１３４は、上部プレート１４２の上に取り付けられたＤ型環１４０を含む。Ｄ型環１４０は、トッププレート１４２の上で旋回及び／又は回転するように取り付けられている。トッププレート１４２は、ベースプレート１４６から延びるねじの切られた中間部１４４に螺合して係合する。トッププレート１４２及びベースプレート１４６は、おおむね円形でベースプレート１４６が溝１３６に適合するような寸法をしており、トッププレート１４２は拡大された開口１３８にぴったり合う。ネジの切られた中間部１４４はストッパー１４８が終端となり、ストッパー１４８は、ねじられて離れたときにベースプレート１４６及びトッププレート１４２をともに保持する。ピン１５２は、回転ボール１５４を通過して、軸として働き、回転ボール１５４をベースプレート１４６に固定する。回転ボール１５４は、溝１３６にも適合するような寸法を有し、スライドアセンブリ１３４がトラック１３２内をより簡単に移動できるように回転する。
【００３７】
図５Ｂを参照すると、スライドアセンブリ１３０は、ロックされた位置に示されている。スライドアセンブリ１３４をロックさせた位置に設定するには、トッププレート１４２が所望の拡大された開口１３８の上をスライドし、きつくなるまで（図６Ａ参照）ネジの切られた中間部１４４にねじ込まれる。トッププレート１４２は、拡大された開口１３８と似た形を有するため、スライドアセンブリ１３４は、プレーの長いラウンドの間にゴルフバッグ１００の重さの荷重が運搬されても、その位置に留まる。拡大された開口１３８は、溝１３６内の底部まで完全には延びていない。このようにして、フランジ１５６が溝１３６内に形成される。トッププレート１４２及びボトムプレート１４６が共にねじられると、プレート１４２、１４６はフランジ１５６の上に締め付けられる。
【００３８】
ここで図５Ｃを参照すると、スライドアセンブリ１３４はロックを解かれた又はスライドする位置で示されている。ロックを解かれた位置では、スライドアセンブリ１３４は、トラック１３２内を自由にスライドすることができる。スライドアセンブリ１３４のロックを解除するためには、トッププレート１４２をベースプレート１４６から回して外す。回し外すと、トッププレート１４２が拡大された開口１３８から外へ上がってきて、自由な移動ができるようになる（図６Ｂ参照）。好ましくは、Ｄ型環１４０を一回転又は半回転すると、スライドアセンブリ１３４がロックされた位置から解放される。図６Ｂにおいて、スライドアセンブリ１３４がロックされていない位置にあるときに、トッププレート１４２とフランジ１５６との間には隙間１４５が示されている。隙間１４５によって、スライドアセンブリは、トラック１３２の中を自由に移動することができる。
【００３９】
さらに他の実施形態では、トラックは拡大された開口を形成する必要はない。その代り、スライドアセンブリは単純にプレートを共にねじで留めることで発生する張力から、その場所にロックされる。ハーネスアセンブリは、他に、少ない又は多い構成を有してよい。例えば、紐と支持部を有するよりも、ハーネスアセンブリは、単に紐であってよい。ゴルフバッグ（及び／又は支持ハブ１１２）は、円形ではなく長方形とか、及び／又は人物の背中に合うような形のような、異なる構成を有していてもよい。
【００４０】
他の実施形態では、ゴルフバッグ１００は、横トラックアセンブリ１３０のみを含んでもよい。このようにして、ハーネスアセンブリは、上部接続紐部分１０６ａをスライドアセンブリ１３４ａ上で、下部接続調整部１１４ａをスライドアセンブリ１３４ｂ上で、移動させることで、幅の調節が可能になる。スライドアセンブリ１３４ａ、１３４ｂのこの動きは、ともに、又は望む場合さらに遠くに離れて、肩紐１０４ａ、１０４ｂによって共有されるゴルフバッグの重さの配分を変更する。すなわち、より多い体重の圧力又はより少ない体重の圧力が所与の肩紐１０４ａ、１０４ｂにかけられ、肩へのゴルフバッグの重さの分散を改善する。この実施形態では、肩紐１０４ｂの上部接続紐部分１０６ｂ及び支持ハブ１１２の下部接続調整部１１４ｂは、単にＤ環又は、下部接続調整部１２８に接続された他の適切な手段を介して、ゴルフバッグに接続される。通常、回転するＤ環又は他の適切なリングは、これらの固定された接続のために用いられる。
【００４１】
さらに他の実施形態では、ゴルフバッグ１００は、「左側」及び「右側」の縦トラックアセンブリ１６０，１６２のみを含む。これにより、肩紐１０４ｂの上部接続紐部分１０６ｂがスライドアセンブリ１３４ｃの上を動くことができ、支持ハブ１１２の下部接続調整部１１４ｂがスライドアセンブリ１３４ｄの上を動くことができる。このようにして、肩紐１０４ａ、１０４ｂの間の距離はこれらの縦調整部によって小さく又は大きくされる。このようにして、肩紐１０４ａ、１０４ｂの間の間隔は変更され、そして狭い、中間の、又は広い肩幅の人物に紐が合うようにされる。この調節がうまく調整されることで、肩へのゴルフバッグの重さの配分が改善することが助けられる。ゴルフバッグが適切に彼の／彼女の方に装着されているとき、使用者は、ゴルフバッグのバランスを良く取ることができる。肩紐１０４ａ、１０４ｂ同士の間に適切な間隔があるとき、肩のそれぞれに、よりよい重さの配分がなされ、重さの圧力が少なくかかる。ゴルフバッグを運搬する人物はこの改善された重さの配分により、バッグとともに歩くときにバランスが改善されやすい。もう一度、上部接続紐部分１０６ａ及び下部接続調整部１１４ａは、Ｄ環又は他の手段によりバッグ本体に接続される。
【００４２】
ここで図８を参照すると、課題の技術に沿ったゴルフバッグ１００及びハーネスアセンブリ１０２のさらなる実施形態が示される。上述した実施形態に関連した類似の要素は、類似の参照符号で示される。多くの要素は前述の実施形態に類似しているため、さらに述べることはしない。ハーネスアセンブリ１０２の基本的な違いは、選択的な交差支持部１１９を含む点にある。交差支持部１１９は肩紐１０４ａ、１０ｂの間に接続されて、選択的に及び調整可能に、追加的な快適性のため、及び装着を安全に保つために、肩紐１０４ａ、１０４ｂをともに付勢する。交差支持部１１９はともにパチンと締まり、長さの調節ができるようにするためのバックル１２１を含む。その結果、交差支持部１１９は片手で簡単に解除することができ、望んだ時にのみ使用される。
【００４３】
図９、１０Ａ及び１０Ｂを参照すると、課題の技術に沿ってゴルフのラウンドの間中装着され、縦にして運搬されるのに特に適したさらに他のゴルフバッグ２００の様々な図が示される。関連分野の当業者によって理解される通り、ゴルフバッグ２００は、上述したゴルフバッグ１００に類似する原理を用いる。したがって、番号「１」の代わりに、その前に番号「２」を付けた類似の符号が類似する要素を示す。
【００４４】
また、スライドアセンブリ２３４ａ〜ｄに取り付けられるハーネスアセンブリ２０２として調節は早く、簡単で、しっかりしている。しかしながら、ハーネスアセンブリ２０２に関して、肩紐２０４ａ、２０４ｂは、支持ハブ２１２に接続される下端部２０８ａ、２０８ｂを有する。下端部２０８ａ、２０８ｂは、バックル、クリップ、留め金、及び紐の長さを調節するための他の調節金具類２１５ａ、２１５ｂを有してよい。肩紐１０４ａ、１０４ｂの上端部２１８ａ、２１８ｂの両方は、横トラックアセンブリ２３０におけるスライドアセンブリ２３４ａ、２３４ｂに接続している。その結果、上端部２１８ａ、２１８ｂの間の距離は、選択的に調節され、これにより、ハーネスアセンブリ１０２は使用者にぴったり合う。
【００４５】
支持ハブ２１２は、それぞれが縦トラックアセンブリ２６０、２６２にスライド可能に接続される下部接続配置２２６、２２８を有する。このように、下部接続配置２２６、２２８は選択的に上部横トラックアセンブリ２３０に近付いたり離れたりするように移動することができる。その結果、ハーネスアセンブリ２０２の上下の距離は、選択的に調節され、これにより、ハーネスアセンブリ２０２がさらに使用者にぴったり合う。また、課題の技術を検討することで理解される通り、ハーネスアセンブリ２０２がゴルフバッグ２００に取り付けられる位置を調節することができるようにすることで、異なる体型及び寸法の使用者のため、重さの分散や、装着が最適化される。肩紐２０４ａ、２０４ｂは、下部接続調節部２２６、２２８と同様に、選択的に長くしたり短くしたりすることができると理解される。このように、ゴルフバッグ２００及びハーネスアセンブリ２０２は、使用者の寸法及び体型に非常にぴったり合う。
【００４６】
例えば、中胚葉型体格（広い肩及び胸、筋肉質の／壮健な体格）のためには、ハーネスアセンブリ２０２はトラックアセンブリ２３０内のスライドアセンブリ２３４ａ、２３４ｂを離して広げられてよい。肩紐２０４ａ、２０４ｂは中くらいの長さであってよく、トラックアセンブリ２６０、２６２内の下部スライドアセンブリ２３４ｃ、２３４ｄは、上部の位置に設定される。
【００４７】
外胚葉型の体格の人（ぜい肉のない体の質量に、小さな肩及び胸、そして相対的に高い身長）のためには、ハーネスアセンブリ２０２は、ゴルフバッグ２００の上部で狭くされ、（すなわち、スライドアセンブリ２３４ａ、２３４ｂを、肩紐のもともとの位置まで、共に近づけるように持ってくる。）肩紐２０４ａ、２０４ｂは、スライドアセンブリ２３４ｃ、２３４ｄをトラックアセンブリ２６０、２６２の下の方の位置まで移動させながら調節できるような長さにされる。さらに他の例では、内胚葉性体型（肥満型）の人（丸い体の質量で平均的な肩及び胸、及び低い身長）のためには、ハーネスアセンブリ２０２は横トラック２３０（肩紐のもともとの位置）において中間的な幅であってよく、肩紐２０４ａ、２０４ｂは、短くされ、スライドアセンブリ２３４ｃ、２３４ｄは縦トラック２６０、２６２を上に移動する。
【００４８】
ここで図１１及び１２を参照して、課題の技術に沿ったゴルフバッグ３００及びハーネスアセンブリ３０２のさらなる実施形態が示される。上述した実施形態に関連した類似の要素は、類似の参照符号で示される。多くの要素は前述の実施形態に類似しているため、さらに述べることはしない。ハーネスアセンブリ３０２の基本的な違いは、支持部３１２が使用者の後ろではなくむしろ前で調節されていることにある。これを達成するためには、ハーネスアセンブリ３０２は、接続配置３２６、３２８及び下部トラック３６０、３６２の間に追加的な紐３２７、３２９を有する。下部トラック３６０、３６２に接続するため、紐３２７、３２９は追加的な接続配置３３１、３３３をそれぞれ有する。紐３０４、３０６、３２７、３２９は、好ましくは一以上の位置で長さ調節することができる。
【００４９】
ここで図１３及び１４を参照して、課題の技術に沿ったゴルフバッグ４００及びハーネスアセンブリ４０２のさらなる実施形態が示される。上述した実施形態に関連した類似の要素は、類似の参照符号で示される。多くの要素は前述の実施形態に類似しているため、さらに述べることはしない。ハーネスアセンブリ４０２の基本的な違いは、ゴルファーの肩のいずれか望む方に吊るされる一本の肩紐４０４にある。
【００５０】
肩紐４０４は、快適さのために、中央に膨らんだ部分４０５を有する。肩紐４０４は、上部紐４８０及び下部紐４８２をも有する。それぞれの紐４８０、４８２は、中央の膨らんだ部分４０５に接続されるＤ環４８３に通される。
【００５１】
肩紐４０４の上部紐４８０は、それぞれスライドアセンブリ４３４ａ、４３４ｂに接続する二つの末端接続配置４１４ａ、４１４ｂを有する。スライドアセンブリ４３４ａ、４３４ｂは、使用者への装着が最適化するように、上部トラック４３０内を選択的に移動する。肩紐４０４の下部紐４８２もまた、使用者への装着を最適化する縦位置の調整のために、下部トラック４６０、４６２に、それぞれスライドアセンブリ４３４ｃ、４３４ｄに接続する二つの末端接続配置４２６ａ、４２６ｂを有する。代替的に、紐４８０、４８２の一方又は両方は、Ｄ環等でゴルフバッグ４００に直接取り付けられる。いずれの場合も、ハーネスアセンブリ４０２は、快適でゴルフバッグ４００を運搬するのに調節可能な方法を提供する。他の実施形態では、紐の中央の膨らんだ部分の上部と下部は、それぞれ２つの端部を形成する。端部は単に縫合されるか、そうでなければ共に接続されてよい。そのような場合、Ｄ形状の環の中で紐がスライドする柔軟性を有さないことが理解されるだろう。
【００５２】
ここで図１５及び１６を参照して、課題の技術に沿った他のハーネスアセンブリ５０２を有するゴルフバッグ５００のさらなる実施形態が示される。上述した実施形態に関連した類似の要素は、類似の参照符号で示される。多くの要素は前述の実施形態に類似しているため、さらに述べることはしない。ハーネスアセンブリ５０２の基本的な違いは、一本の上部スライドアセンブリ５３４ａに接続される一本の肩紐５０４にある。
【００５３】
肩紐５０４の上部接続紐部５０６は、スライドアセンブリ５３４ａに接続し、肩のいずれの方へ動くのにも適合するように、上部トラック５３０内を動くことができる。肩紐４０４の下部接続部５０９は、Ｄ環によりゴルフバッグ５００の中央側に直接的に取り付けられてよい。示される通り、代替的に、下部接続部５０９は下部トラック５６２内でスライドアセンブリ５３４ｂに接続される。下部接続部５０９が左側のトラック５３０に移動したとき、下部接続部５０９はトラック５６０内のスライドアセンブリ５３４ｂにクイックコネクト（図示せず）を使用して接続される。他の実施形態では、中央に配置された一本の下部トラックがあるだけである。一本の下部トラックは、横に、又は縦に、あるいは角度をつけて取り付けられることもできる。また、ゴルフバッグ５００は使用者への装着を最適化する様々な構成及び調節を提供する。
【００５４】
代替的な実施形態では、トラックは複数の布の環や留め金に置き換えられ、１又は２インチ（２．５４ｃｍ又は５．０８ｃｍ）ほど離間して拡大された開口の代わりの接続部としての役割をする。さらに、トラックは直線状、縦又は横に限られない。例えば、下部トラックは、中央接続部を有してよく、その結果、Ｈ形状のトラックになる。トラック（上部及び下部）は様々な形状をとってよく、例えばＴ形状、Ｘ形状、Ｉ形状、Ｕ形状、Ｙ形状、Ｖ形状などで、また適用次第で様々な角度であってよい。
【００５５】
紐及び／又は支持部は、それから単にパチンと閉めるか、結びつけるか、留め金で留めるか、クリップで留めるか、さもなければ望ましい環又は留め具に固定する。一本の紐により、ゴルフバッグが一つの肩のみで運搬されるように使用されてもよいことも理解される。一本の紐は、さらに低い地点で調整されてもよく、及び／又は、同様に様々な上方の位置に固定するための上部取り付け位置を有してもよい。さらに、ハーネスアセンブリの接続位置は取り外し可能及び交換可能であってよく、これにより、ゴルフバッグを実質的に水平又は垂直方向に運搬するため、人物がハーネスアセンブリを取り付けられる。
【００５６】
いくつかの要素の機能は、代替的な実施形態でより少ない要素や一つの要素によって実行されることが、関連技術の当業者に理解されるだろう。同様に、いくつかの実施形態では、機能的な要素は、説明された実施形態の操作よりも少ない、又は異なる操作で実行される。また、説明の目的で独特なものとして示された機能的な要素（例えば接続配置、トラック、スライドアセンブリ、留め金等）は、特定の実施における他の機能的な要素に組み込まれてもよい。
【００５７】
さらに、課題の技術はゴルフバッグの分野に関連して述べられたが、課題の技術は例えば荷物、リュックサック、札入れ、学生鞄、クーラー、子供の運搬、人の背で運ぶことが望ましい他のアイテム等、他の分野や適用に等しく応用できることが理解される。さらに、課題の技術はゴルフバッグや横に運搬される他のアイテムにも等しく適用される。
【００５８】
ここで開示された全ての特許、特許出願及び他の参考は、全体を参照として明確に組み込まれる。課題の技術が好ましい実施形態に関して述べられていても、添付のクレームによって規定される発明の精神及び範囲を離れずに、様々な変更や修正が、課題の技術になされることを、分野の当業者は、ただちに理解するであろう。例えば、それぞれのクレームは、当初そのようにクレームされていなかったとしても、多項従属項でどの、又は全てのクレームに従属してもよい。
【図１Ａ】
2017124154.tif 000003
【図１Ｂ】
2017124154.tif 000004
【図２】
2017124154.tif 000005
【図３】
2017124154.tif 000006
【図４】
2017124154.tif 000007
【図５Ａ】
2017124154.tif 000008
【図５Ｂ】
2017124154.tif 000009
【図５Ｃ】
2017124154.tif 000010
【図６Ａ】
2017124154.tif 000011
【図６Ｂ】
2017124154.tif 000012
【図７Ａ】
2017124154.tif 000013
【図７Ｂ】
2017124154.tif 000014
【図８】
2017124154.tif 000015
【図９】
2017124154.tif 000016
【図１０Ａ】
2017124154.tif 000017
【図１０Ｂ】
2017124154.tif 000018
【図１１】
2017124154.tif 000019
【図１２】
2017124154.tif 000020
【図１３】
2017124154.tif 000021
【図１４】
2017124154.tif 000022
【図１５】
2017124154.tif 000023
【図１６】
2017124154.tif 000024
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
ゴルフバッグアセンブリであって、
閉じた底端と開口した上端の間の縦軸に沿って延びる長い本体を有するバッグと、
前記開口した上端を取り巻く硬い上部の折り返しと、
横軸に沿って延びるＣ形状の上部トラックであって、該上部トラックは、前記硬い上部の折り返しに接続され、前記上部トラックに沿う単一の列に延びる複数の捕捉位置を有する上部トラックと、
前記上部トラックの前記複数の捕捉位置の間を前記横軸に沿って選択的に移動するため、前記上部トラックに摺動可能に接続される第一及び第二の上部取り付け環状部と、
前記縦軸に平行に、かつ前記上部トラックに垂直に延びる第一の下部トラックであって、該第一の下部トラックは、前記閉じた底端と前記開口した上端の間の前記バッグの中間に取り付けられ、前記下部トラックに沿って単一の列に延びる複数の捕捉位置を有する第一の下部トラックと、
前記第一の下部トラックにおける前記複数の捕捉位置の間を前記縦軸に沿って選択的に移動できるように、前記第一の下部トラックに摺動可能に接続される第一の下部取り付け環状部と、
前記上部トラックに垂直な前記縦軸に平行に延びる第二の下部トラックであって、該第二の下部トラックは、前記閉じた底端と前記開口した上端の間の前記バッグの中間に取り付けられ、複数の捕捉位置を有し、前記第一の下部トラックから間隔を空ける第二の下部トラックと、
前記第二の下部トラックにおける前記複数の捕捉位置の間を前記縦軸に沿って選択的に移動できるように、前記第二の下部トラックに摺動可能に接続される第二の下部取り付け環状部と、
前記第一の上部取り付け環状部と、第一の肩紐との間に延びる第一の上部接続紐であって、前記第一の肩紐は、第一の回転するＤ環により支持ハブに接続されている、第一の上部接続紐と、
前記第一の下部取り付け環状部と、第二の肩紐との間に延びる第二の上部接続紐であって、前記第二の肩紐は、第二の回転するＤ環により支持ハブに接続されている、第二の上部接続紐と、
前記第二の上部取り付け環状部と、前記支持ハブとの間に延びる第一の下部接続配置と
前記第二の下部取り付け環状部と、前記支持ハブとの間に延びる第二の下部接続配置と、を備え、
前記第一及び第二の上部取り付け環状部は、人物がゴルフバッグを運搬するときに装着を最適にするために、前記第一の上部接続紐及び前記第一の下部接続配置の間の前記横軸に沿って、距離を増加させたり減少させたりするよう前記上部トラックに沿って選択的に横に移動し、
前記第一の下部取り付け環状部は、人物がゴルフバッグを運搬するときに装着を最適にするために、前記第一の下部取り付け環状部と前記第一及び第二の上部取り付け環状部の両方との間の前記縦軸に沿って距離を増加させたり減少させたりするよう前記第一の下部トラックに沿って縦に選択的に移動し、
前記第二の下部取り付け環状部は、人物がゴルフバッグを運搬するときに装着を最適にするために、前記第二の下部取り付け環状部と前記第一及び第二の上部取り付け環状部の両方との間の前記縦軸に沿って距離を増加させたり減少させたりするよう前記第二の下部トラックに沿って縦に選択的に移動し、
前記第一及び第二の回転するＤ環は、前記第一及び第二の肩紐がゴルファーの肩を容易かつ迅速に滑るように回転する、ゴルフバッグアセンブリ。
【請求項２】
前記第一及び第二の下部接続配置は、第一及び第二の調節バックルによって前記支持ハブにそれぞれ取り付けられており、
前記調節バックルは、前記支持ハブと前記ゴルフバッグの間のそれぞれの接続配置の全長を調節可能である請求項１に記載のゴルフバッグアセンブリ。
【外国語明細書】
2017124154000001.pdf